(57)【要約】【課題】ユーザが複数のタイトル毎に異なる画質でダビングしたい場合に従来のような面倒さがなく利便性の高い録画装置を提供する。【解決手段】ハードディスクに記録された複数のタイトル毎にリモコン操作により録画モードが指定された後、その複数のタイトル毎に、ＨＤＤ１０がタイトルをハードディスクから再生し、再生されたタイトルを映像音声圧縮伸長部５が伸長し、伸長されたタイトルを映像音声圧縮伸長部５が当該タイトルに指定された録画モードに応じた所定のビットレートで圧縮し、圧縮されたタイトルをＤＶＤ記録再生部１１がＤＶＤに記録させる。【選択図】図１
2008177718.tif 000002
【特許請求の範囲】
【請求項１】
ハードディスクを有するハードディスク再生部と、映像音声伸長部と、映像音声圧縮部と、光ディスク記録部とを備えた録画装置において、さらに設定ビットレート算出部を備え、
前記ハードディスクに記録された複数のタイトル毎に操作手段により録画モードが指定された後、
前記設定ビットレート算出部が下記（１）式を用いて前記複数のタイトル毎に設定ビットレートを算出し、
前記複数のタイトル毎に、前記ハードディスク再生部がタイトルを前記ハードディスクから再生し、再生されたタイトルを前記映像音声伸長部が伸長し、伸長されたタイトルを前記映像音声圧縮部が当該タイトルに対応する前記算出された設定ビットレートで圧縮し、圧縮されたタイトルを前記光ディスク記録部が光ディスクに記録させることを特徴とする録画装置；
ＢＲi＝ＲＣ×（ＴＣi×αi）／（Σ（ＴＣj×αj））／Ｔi    （１）
ただし、
ＢＲi：各タイトルの設定ビットレート
ＲＣ：光ディスクの残量
ＴＣi：各タイトルの消費容量
Ｔi：各タイトルの時間長
αi：各タイトルの録画モードに応じた係数
Σ：各タイトルについての総和
を示す。
【請求項２】
ハードディスクを有するハードディスク再生部と、映像音声伸長部と、映像音声圧縮部と、光ディスク記録部とを備えた録画装置において、
前記ハードディスクに記録された複数のタイトル毎に操作手段により録画モードが指定された後、
前記複数のタイトル毎に、前記ハードディスク再生部がタイトルを前記ハードディスクから再生し、再生されたタイトルを前記映像音声伸長部が伸長し、伸長されたタイトルを前記映像音声圧縮部が当該タイトルに指定された録画モードに応じた所定のビットレートで圧縮し、圧縮されたタイトルを前記光ディスク記録部が光ディスクに記録させることを特徴とする録画装置。
【発明の詳細な説明】
【技術分野】
【０００１】
本発明は、録画装置に関するものである。
【背景技術】
【０００２】
従来から、ハードディスクドライブ（以下、ＨＤＤ）を備えた複合型ＤＶＤレコーダが普及している。このような複合型ＤＶＤレコーダの使用方法として、ユーザはまず大容量であるハードディスクに放送番組を録画し、その後ハードディスクに記録されたタイトルをＤＶＤへダビングするといったことをしていた。ダビング時には、一つのタイトルのみならず、複数のタイトルをユーザが選択してダビングすることが可能であった（ダビングについては例えば特許文献１を参照）。
【特許文献１】特開２００６−１５７５５３号公報
【発明の開示】
【発明が解決しようとする課題】
【０００３】
しかし、上記従来の複合型ＤＶＤレコーダでは、ダビングさせる複数のタイトルを選択する際でも指定できる録画モードは一つのみであったので、ユーザがタイトル毎に異なる画質でダビングしたい場合は、タイトルを一つ選択して録画モードを指定してダビングするといったことを繰り返す必要がありユーザにとって面倒であった。
【０００４】
上記問題点を鑑み、本発明は、ユーザが複数のタイトル毎に異なる画質でダビングしたい場合に従来のような面倒さがなく利便性の高い録画装置を提供することを目的とする。
【課題を解決するための手段】
【０００５】
上記目的を達成するために本発明の録画装置は、ハードディスクを有するハードディスク再生部と、映像音声伸長部と、映像音声圧縮部と、光ディスク記録部とを備えた録画装置において、
前記ハードディスクに記録された複数のタイトル毎に操作手段により録画モードが指定された後、
前記複数のタイトル毎に、前記ハードディスク再生部がタイトルを前記ハードディスクから再生し、再生されたタイトルを前記映像音声伸長部が伸長し、伸長されたタイトルを前記映像音声圧縮部が当該タイトルに指定された録画モードに応じた所定のビットレートで圧縮し、圧縮されたタイトルを前記光ディスク記録部が光ディスクに記録させることを特徴としている。
【０００６】
このような構成によれば、ユーザが複数のタイトル毎に異なる画質でダビングしたい場合、タイトル毎にユーザが所望の録画モードを指定でき、指定された各録画モードに応じた画質で各タイトルが一括してダビングされるので、ユーザにとって従来のような面倒さがなくなり利便性が高い。
【０００７】
また、上記目的を達成するために本発明の録画装置は、ハードディスクを有するハードディスク再生部と、映像音声伸長部と、映像音声圧縮部と、光ディスク記録部とを備えた録画装置において、さらに設定ビットレート算出部を備え、
前記ハードディスクに記録された複数のタイトル毎に操作手段により録画モードが指定された後、
前記設定ビットレート算出部が下記（１）式を用いて前記複数のタイトル毎に設定ビットレートを算出し、
前記複数のタイトル毎に、前記ハードディスク再生部がタイトルを前記ハードディスクから再生し、再生されたタイトルを前記映像音声伸長部が伸長し、伸長されたタイトルを前記映像音声圧縮部が当該タイトルに対応する前記算出された設定ビットレートで圧縮し、圧縮されたタイトルを前記光ディスク記録部が光ディスクに記録させることを特徴としている。
ＢＲi＝ＲＣ×（ＴＣi×αi）／（Σ（ＴＣj×αj））／Ｔi    （１）
ただし、
ＢＲi：各タイトルの設定ビットレート
ＲＣ：光ディスクの残量
ＴＣi：各タイトルの消費容量
Ｔi：各タイトルの時間長
αi：各タイトルの録画モードに応じた係数
Σ：各タイトルについての総和
を示す。
【０００８】
このような構成によっても、ユーザが複数のタイトル毎に異なる画質でダビングしたい場合、タイトル毎にユーザが所望の録画モードを指定でき、指定された各録画モードに応じた画質で各タイトルが一括してダビングされるので、ユーザにとって従来のような面倒さがなくなり利便性が高い。また、光ディスクの残量を考慮した設定ビットレートの算出により自動的に光ディスクの残量に収まるよう各タイトルがダビングされるので、光ディスクの空き領域を有効利用できる。
【発明の効果】
【０００９】
本発明の録画装置によれば、ユーザが複数のタイトル毎に異なる画質でダビングしたい場合に従来のような面倒さがなくなり利便性が高い。
【発明を実施するための最良の形態】
【００１０】
本発明に係る実施形態について以下、図面を参照して説明する。
【００１１】
図１に、本発明に係る複合型ＤＶＤレコーダのブロック図を示す。本複合型ＤＶＤレコーダはデジタル放送受信に対応している。本複合型ＤＶＤレコーダは、ＲＦ部２と、デジタル復調部３と、データ分離部４と、映像音声圧縮伸長部５と、音声ＤＡコンバータ６と、映像合成部７と、制御部８と、リモコン受信部９と、ＨＤＤ１０と、ＤＶＤ記録再生部１１とを備えている。
【００１２】
アンテナ１は、デジタル放送の放送電波を電気信号である放送信号に変換してＲＦ部２に出力する。ＲＦ部２は、アンテナ１から入力された放送信号から制御部９が指示するチャンネルの放送信号を抽出し、中間周波数信号をデジタル復調部３に出力する。デジタル復調部３は、中間周波数信号からトランスポートストリームを取り出してデータ分離部４に出力する。データ分離部４は、トランスポートストリームから映像信号と音声信号を分離し、映像信号および音声信号を映像音声圧縮伸長部５に出力する。映像音声圧縮伸長部５は、映像信号を伸長して映像合成部７に出力し、音声信号を伸長して音声ＤＡコンバータ６に出力する。映像合成部７は、映像音声圧縮伸長部５から入力された映像信号と制御部８が生成する映像信号とを合成して、合成信号に基づくビデオ信号を不図示のテレビに出力する。また、音声ＤＡコンバータ６は、映像音声圧縮伸長部５から入力された音声信号をデジタルからアナログへ変換して不図示のテレビへ出力する。これにより、不図示のテレビにおいて放送番組の画面が表示され、放送番組の音声が発生する。なお、映像合成部７は、上記合成をせずに、制御部８が生成した映像信号に基づくビデオ信号を不図示のテレビに出力もする。
【００１３】
ＨＤＤ１０は、データ分離部４がトランスポートストリームから分離した映像信号および音声信号を内蔵するハードディスクへタイトルとして記録させる。これはＴＳ録画と呼ばれる。また、ＨＤＤ１０がハードディスクから再生した映像信号および音声信号は映像音声圧縮伸長部５により伸長され、映像信号が映像合成部７へ出力され、音声信号が音声ＤＡコンバータ６へ出力される。これにより、不図示のテレビにおいて映像および音声が再生される。
【００１４】
また、ＨＤＤ１０がハードディスクから再生した映像信号および音声信号は映像音声圧縮伸長部５により伸長され、伸長された映像信号および音声信号は映像音声圧縮伸長部５により圧縮され、圧縮された映像信号および音声信号をＤＶＤ記録再生部１１はＤＶＤへ記録させる。これによりダビングが行われる。また、ＤＶＤ記録再生部１１がＤＶＤから再生した映像信号および音声信号は映像音声圧縮伸長部５により伸長され、映像信号が映像合成部７へ出力され、音声信号が音声ＤＡコンバータ６へ出力される。これにより、不図示のテレビにおいて映像および音声が再生される。
【００１５】
また、リモコン受信部９は、不図示のリモコンから赤外線信号を受信し、コード信号を制御部８へ出力する。
【００１６】
次に、本発明に係る複合型ＤＶＤレコーダにおけるダビング時の動作について以下説明する。ここで、ＨＤＤ１０のハードディスクには、ＴＳ録画によりタイトルが複数記録され、各タイトルに対応するタイトル名情報も記録されているものとする。
【００１７】
まず、不図示のリモコンにおいて所定の操作がされると、制御部８がリモコン受信部９からコード信号を受信し、タイトル名情報に基づき映像信号を生成して映像合成部７に出力し、不図示のテレビに図２（ａ）に示すようなダビングタイトル設定画面が表示される。本画面において、画面左側にはハードディスクに記録されたタイトルのタイトル名が一覧表示される。
【００１８】
ここで、リモコン操作によりハイライトがあるタイトル名に移動され、リモコンにおいて決定操作がされると、ハイライトにより選択されたタイトル名が画面右側のダビングタイトルリスト欄に表示される。このような操作を繰り返すことにより、ダビングタイトルリスト欄には選択されたタイトル名が順次表示される。図２（ｂ）は、「タイトルＡ」「タイトルＣ」「タイトルＤ」の順に選択された場合を示す。
【００１９】
そして、リモコン操作により画面の「決定」の箇所にハイライトが移動され、リモコン操作において決定操作がされると、図３（ａ）に示すような録画モード設定画面が表示される。本画面では、先のダビングタイトル設定画面においてダビングタイトルリスト欄に表示されていたタイトル名と同じタイトル名が画面左側に一覧表示される。また、画面右側には、各タイトル名に対応して「ＸＰ」という文字列が初期表示される。
【００２０】
リモコン操作によりハイライトがいずれかの「ＸＰ」に移動され、リモコンにおいて所定の操作がされるたびに「ＸＰ」⇔「ＳＰ」⇔「ＬＰ」と表示が変化する。これらの文字列は録画モードであり、「ＸＰ」、「ＳＰ」、「ＬＰ」の順に録画時の画質は低下する。図３（ｂ）は、図３（ａ）の画面においてリモコン操作により「タイトルＡ」に対応する録画モードを「ＳＰ」、「タイトルＣ」に対応する録画モードを「ＸＰ」、「タイトルＤ」に対応する録画モードを「ＬＰ」に指定した場合を示す。
【００２１】
そして、リモコン操作により画面の「決定」の箇所にハイライトが移動され、リモコン操作において決定操作がされると、録画モード設定画面において表示されたタイトル名のタイトル毎に、タイトルをＨＤＤ１０がハードディスクから再生し、再生されたタイトルを映像音声圧縮伸長部５が伸長し、伸長されたタイトルを映像音声圧縮伸長部５が録画モード設定画面において指定された録画モードに応じた所定のビットレートで圧縮し、圧縮されたタイトルをＤＶＤ記録再生部１１がＤＶＤに記録させる。ダビングは以上で完了する。
【００２２】
このように本発明では、ユーザが複数のタイトル毎に異なる画質でダビングしたい場合、タイトル毎にユーザが所望の録画モードを指定でき、指定された各録画モードに応じた画質で各タイトルが一括してダビングされるので、ユーザにとって従来のような面倒さがなくなり利便性が高い。
【００２３】
次に、本発明に係る複合型ＤＶＤレコーダにおけるダビング動作の他の実施形態について以下説明する。
【００２４】
ダビングタイトル設定画面が表示されて、ダビングタイトル設定画面においてタイトルが選択される動作については前述した実施形態と同様である（図２参照）。そして、リモコン操作により画面の「決定」の箇所にハイライトが移動され、リモコン操作において決定操作がされると、図４（ａ）に示すような録画モード設定画面が表示される。本画面では、先のダビングタイトル設定画面においてダビングタイトルリスト欄に表示されていたタイトル名と同じタイトル名が画面左側に一覧表示される。また、画面右側には、各タイトル名に対応して「高画質」という録画モードが初期表示される。
【００２５】
リモコン操作によりハイライトがいずれかの「高画質」に移動され、リモコンにおいて所定の操作がされるたびに「高画質」⇔「標準画質」⇔「低画質」と表示が変化する。図４（ｂ）は、図４（ａ）の画面においてリモコン操作により「タイトルＡ」に対応する録画モードを「標準画質」、「タイトルＣ」に対応する録画モードを「高画質」、「タイトルＤ」に対応する録画モードを「低画質」に指定した場合を示す。
【００２６】
そして、リモコン操作により画面の「決定」の箇所にハイライトが移動され、リモコン操作において決定操作がされると、制御部８は下記（１）式を用いて、録画モード設定画面に表示された各タイトル名の各タイトルについて設定ビットレートを算出する。図４（ｂ）の場合であれば、「タイトルＡ」「タイトルＣ」「タイトルＤ」のそれぞれについて設定ビットレートが算出される。
【００２７】
ＢＲi＝ＲＣ×（ＴＣi×αi）／（Σ（ＴＣj×αj））／Ｔi    （１）
ただし、
ＢＲi：各タイトルの設定ビットレート
ＲＣ：ＤＶＤの残量
ＴＣi：各タイトルの消費容量
Ｔi：各タイトルの時間長
αi：各タイトルの録画モードに応じた係数
Σ：各タイトルについての総和
を示す。
【００２８】
ここで上記（１）式中のαiについては、例えば、録画モードが「高画質」の場合、αi＝１．０とし、録画モードが「標準画質」の場合、αi＝０．５とし、録画モードが「低画質」の場合、αi＝０．１とすればよい。
【００２９】
上記のように制御部８が設定ビットレートを算出後、録画モード設定画面において表示されたタイトル名のタイトル毎に、タイトルをＨＤＤ１０がハードディスクから再生し、再生されたタイトルを映像音声圧縮伸長部５が伸長し、伸長されたタイトルを映像音声圧縮伸長部５が当該タイトルに対応する上記算出された設定ビットレートで圧縮し、圧縮されたタイトルをＤＶＤ記録再生部１１がＤＶＤに記録させる。ダビングは以上で完了する。
【００３０】
このような本実施形態によっても、ユーザが複数のタイトル毎に異なる画質でダビングしたい場合、タイトル毎にユーザが所望の録画モードを指定でき、指定された各録画モードに応じた画質で各タイトルが一括してダビングされるので、ユーザにとって従来のような面倒さがなくなり利便性が高い。また、本実施形態では、ＤＶＤの残量を考慮した設定ビットレートの算出により自動的にＤＶＤの残量に収まるよう各タイトルがダビングされるので、ＤＶＤの空き領域を有効利用できる。
【図面の簡単な説明】
【００３１】
【図１】は、本発明に係る複合型ＤＶＤレコーダのブロック図である。
【図２】は、本発明に係るダビングタイトル設定画面の一例を示す図である。
【図３】は、本発明に係る録画モード設定画面の一例を示す図である。
【図４】は、本発明に係る録画モード設定画面の他の例を示す図である。
【符号の説明】
【００３２】
１    アンテナ
２    ＲＦ部
３    デジタル復調部
４    データ分離部
５    映像音声圧縮伸長部
６    音声ＤＡコンバータ
７    映像合成部
８    制御部
９    リモコン受信部
１０    ＨＤＤ
１１    ＤＶＤ記録再生部
【図１】
2008177718.tif 000003
【図２】
2008177718.tif 000004
【図３】
2008177718.tif 000005
【図４】
2008177718.tif 000006